(57)【要約】【課題】使用者が除湿装置から吹き出す風の温度を一目で把握することができる除湿装置を提供することを目的とする。【解決手段】冷媒を圧縮する圧縮機８と、除湿対象空気を冷却除湿し水分を集水する蒸発器３と、前記冷媒が供給空気に対して放熱する凝縮器２と、除湿対象空気を吸い込み前記蒸発器３および前記凝縮器２に通風させる送風機と、制御するための制御部１１と、蒸発器３へ前記送風機によって除湿対象空気を通風させることにより除湿され、また吸い込み温度より低い冷風を吹き出す冷風吹き出し口と、凝縮器へ供給空気を通風させることにより吸い込み温度より高い温度の風を吹き出す温風吹き出し口と、前記冷風および温風が通風する少なくとも２つ以上の風路を備えた除湿装置であって、冷風吹き出し口ＬＥＤ２７および温風吹き出し口ＬＥＤ２６による表示手段を備えたものである。【選択図】図３
2008188509.tif 000002
【特許請求の範囲】
【請求項１】
冷媒を圧縮する圧縮機と、除湿対象空気を冷却除湿し水分を集水する蒸発器と、前記冷媒が供給空気に対して放熱する凝縮器と、除湿対象空気を吸い込み前記蒸発器および前記凝縮器に通風させる送風機と、除湿装置の運転を設定するための操作部と、前記圧縮機および前記送風機と前記操作部を制御するための制御部と、前記蒸発器へ前記送風機によって除湿対象空気を通風させることにより除湿され、また吸い込み温度より低い冷風を吹き出す冷風吹き出し口と、凝縮器へ供給空気を通風させることにより吸い込み温度より高い温度の風を吹き出す温風吹き出し口と、前記冷風および温風が通風する少なくとも２つ以上の風路を備えた除湿装置であって、前記冷風吹き出し口および前記温風吹き出し口近傍に吹き出し箇所を表示する表示手段を備えたことを特徴とする除湿装置。
【請求項２】
冷風吹き出し口、および温風吹き出し口近傍に備えた吹き出し箇所を表示する表示手段は、運転状況に併せてＬＥＤを点灯および消灯することを特徴とする請求項１記載の除湿装置。
【請求項３】
吹き出し箇所を表示する表示手段は、吹き出し口をＬＥＤで照射することを特徴とした請求項１または２に記載の除湿装置。
【請求項４】
吹き出し箇所を表示する表示手段は、吹き出し方向に平行して矢印状であり、除湿装置本体の天面に設けられたことを特徴とした請求項１または２に記載の除湿装置。
【請求項５】
吹き出し箇所を表示する表示手段はＬＥＤで構成され、吹き出し風の温度を表示するために、冷風吹き出し口は寒色系、除湿風吹き出し口は暖色系の色で表すことを特徴とした請求項１から４のいずれかに記載の除湿装置。
【請求項６】
吹き出し箇所を表示する表示手段は複数のＬＥＤで構成され、吹き出し方向に向かって段階的に明滅を繰り返すことを特徴とした請求項５記載の除湿装置。
【請求項７】
吹き出し箇所を表示する表示手段は点灯または消灯するための設定手段を備えたことを特徴とした請求項１〜６のいずれかに記載の除湿装置。
【請求項８】
吹き出し箇所を表示する表示手段は、吹き出す風量に比例して輝度を変化させることを特徴とした１〜７のいずれかに記載の除湿装置。
【請求項９】
吹き出し口近傍に、吹き出す温度を検出するための温度検出手段を備え、吹き出し箇所を表示する表示手段は、吹き出す温度に従って輝度を変化させることを特徴とした１〜８のいずれかに記載の除湿装置。
【請求項１０】
吹き出し箇所を表示する表示手段は、設定または運転変更が生じた後、所定の時間の間だけ点灯することを特徴とした１〜９のいずれかに記載の除湿装置。
【請求項１１】
人を検出するための人検知手段を設け、除湿装置近傍に人の存在を検出したとき、吹き出し箇所を表示する表示手段を点灯することを特徴とする１〜１０のいずれかに記載の除湿装置。
【請求項１２】
人を検出するための人検知手段を設け、除湿装置近傍に人の存在を検出しないとき、吹き出し箇所を表示する表示手段を消灯することを特徴とする１〜１１のいずれかに記載の除湿装置。
【発明の詳細な説明】
【技術分野】
【０００１】
本発明は、圧縮機、放熱器、膨張機、吸熱器等から構成されるヒートポンプを備えた除湿装置の使い勝手の向上に関する。
【背景技術】
【０００２】
従来、この種の除湿装置は、室内の除湿と局所冷房を使い分けることのできるものが知られている（  例えば、特許文献１  参照）。
【０００３】
以下、その除湿装置について図８  から  図１０を参照しながら説明する。
【０００４】
図８に示すように、除湿装置本体１０１内の左右側面に凝縮器１０２と蒸発器１０３を設け、凝縮器１０２と蒸発器１０３の内側にそれぞれ凝縮器側送風機１０４  と蒸発器側送風機１０５を設けている。また、凝縮器側送風機１０４の下方には圧縮機１０６を配置し、蒸発器１０３の下には露受皿１０７と水受容器１０８が連通して配設されている。凝縮器側送風機１０４と蒸発器側送風機１０５の間に仕切板１０９を設けて、本体１０１内を凝縮器側と蒸発器側とに分割している。
【０００５】
また、図９に示すように、本体１０１の両側面には凝縮器側吸込口１１０と蒸発器側吸込口１１１を設け、本体１０１の天面には凝縮器側吹き出し口１１２と蒸発器側吹き出し口１１３を設けている。
【０００６】
また、図１０に示すように、凝縮器１０２と蒸発器１０３と圧縮機１０６に減圧器１１４を加えて冷凍サイクルを形成し、また低温時に蒸発器１０３の霜を溶かすための二方弁１１５を備えている。
【０００７】
以上のような構成において、図１０に示すように、圧縮機１０６から吐出された冷媒が凝縮器１０２、減圧器１１４、蒸発器１０３、圧縮機１０６と循環するときに、冷媒は凝縮器１０２で放熱（凝縮）し、蒸発器１０３で吸熱（蒸発）する。この際、凝縮器側送風機１０４により吸い込まれた室内空気は凝縮器１０２を通過する時に加熱され、凝縮器側吹出口１１２から温風として吹き出される。一方、蒸発器側送風機１０５により吸い込まれた室内空気は、蒸発器１０３を通過する時に冷却され、蒸発器側吹き出し口１１３から除湿された冷風として吹きだされ、室内を除湿することができ、さらに局所的に冷風を供給できるものである。
【０００８】
また室内温度が低温になった場合には、蒸発器１０３の温度が低下し、蒸発器１０３に霜が付着する。その場合には、二方弁１１５を開放することにより、圧縮器１０６から吐出された高温高圧の冷媒が二方弁１１５を通過し、蒸発器１０３に供給されることにより、付着した霜を除去することができる。
【特許文献１】特開２０００−３２０８６０号公報
【発明の開示】
【発明が解決しようとする課題】
【０００９】
このような従来の除湿装置においては、使用者が一目では、凝縮器側吹出口１１２と蒸発器側吹出口１１３のどちらから、除湿された冷風または加熱された温風が吹き出され、るかということがわかりにくかった。
【００１０】
本除湿装置は上記課題を解決するためのものであり、吹き出し口近傍に吹き出し箇所のならびにその温度を表示する手段を設けることにより、使用者が吹き出し箇所と吹き出し風の温度を一目で把握することができるという、使い勝手の良い除湿装置を提供することができる。
【課題を解決するための手段】
【００１１】
上記課題を解決するために、冷媒を圧縮する圧縮機と、除湿対象空気を冷却除湿し水分を集水する蒸発器と、前記冷媒が供給空気に対して放熱する凝縮器と、除湿対象空気を吸い込み前記蒸発器および前記凝縮器に通風させる送風機と、除湿装置の運転を設定するための操作部と、前記圧縮機および前記送風機と前記操作部を制御するための制御部と、前記蒸発器へ前記送風機によって除湿対象空気を通風させることにより、除湿され、また吸い込み温度より低い冷風を吹き出す冷風吹き出し口と、前記凝縮器へ供給空気を通風させることにより吸い込み温度より高い温度の風を吹き出す温風吹き出し口と、前記冷風および温風が通風する少なくとも２つ以上の風路を備えた除湿装置であって、前記冷風吹き出し口および前記温風吹き出し口近傍に吹き出し箇所を表示する表示手段を備えたことを特徴としたものである。
【００１２】
この手段により、使用者が除湿装置のどこの吹き出し口から吹き出すのか一目で把握することができる除湿装置を得ることができる。
【００１３】
また他の手段は、冷風吹き出し口、および温風吹き出し口近傍に備えた吹き出し箇所を表示する表示手段は、運転状況に併せてＬＥＤを点灯および消灯することを特徴としたものである。
【００１４】
この手段により、吹き出し風が吹き出している箇所のみ、吹き出し表示の点灯を行い、吹き出し風が吹き出さない箇所は、吹き出し表示を消灯することにより、使用者が確実に吹き出し箇所を把握することができる除湿装置を得ることができる。
【００１５】
また他の手段は、吹き出し箇所を表示する表示手段は、吹き出し口をＬＥＤで照射することを特徴としたものである。
【００１６】
この手段により、使用者はどこから吹き出すのかということを暗中においても瞬時に把握することのできる除湿装置を得ることができる。
【００１７】
また他の手段は、吹き出し箇所を表示する表示手段は、吹き出し方向に平行して矢印状であり、除湿装置本体の天面に設けられたことを特徴としたものである。
【００１８】
この手段により、使用者はどこの吹き出し口からどの方向に吹き出すのかを一目で把握できる除湿装置を得ることができる。
【００１９】
また他の手段は、吹き出し箇所を表示する表示手段はＬＥＤで構成され、吹き出し風の温度を表示するために、冷風吹き出し口は寒色系、除湿風吹き出し口は暖色系の色で表すことを特徴としたものである。
【００２０】
この手段により、使用者が除湿装置のどこの吹き出し口から温風または冷風が吹き出すの一目で把握することが可能となり、各吹き出し風を用途にあわせて有効に利用することができる除湿装置を得ることができる。
【００２１】
また他の手段は、吹き出し箇所を表示する表示手段は複数のＬＥＤで構成され、吹き出し方向に向かって段階的に明滅を繰り返すことを特徴としたものである。
【００２２】
この手段により、使用者は吹き出し方向と、使用者が除湿装置のどこの吹き出し口からどの方向へ温風または冷風が吹き出すのか一目で把握することが可能となり、使い勝手の良い除湿装置を得ることができる。
【００２３】
また他の手段は、吹き出し風の温度を表す表示手段を点灯または消灯するための設定手段を備えたことを特徴としたものである。
【００２４】
この手段により、使用者の好みに併せて吹き出し箇所を表示する表示手段を点灯または消灯することができ、例えば就寝時における除湿装置の使用時には、消灯することができ、使い勝手の良い除湿装置を得ることができる。
【００２５】
また他の手段は、吹き出し風の温度を表す表示手段は、吹き出す風量に比例して輝度を変化させることを特徴としたものである。
【００２６】
この手段により、使用者は吹き出し口を見ただけで、吹き出し箇所だけでなく、その風量を把握することができる。
【００２７】
また他の手段は、吹き出し口近傍に、吹き出す温度を検出するための温度検出手段を備え、吹き出し箇所を表示する表示手段は、吹き出す温度に従って輝度を変化させることを特徴としたものである。
【００２８】
この手段により、吹き出し風の温度を正確に測定し、使用者に伝えることのできる除湿装置を得ることができる。
【００２９】
また他の手段は、吹き出し箇所を表示する表示手段は、設定または運転変更が生じた後、所定の時間の間だけ点灯することを特徴としたものである。
【００３０】
この手段により、使用者が吹き出し口から吹き出す風の温度を知りたいときのみ表示を行う使い勝手の良い除湿装置を得ることができる。
【００３１】
また他の手段は、人を検出するための人検知手段を設け、除湿装置近傍に人の存在を検出したとき、吹き出し箇所を表示する表示手段を点灯することを特徴としたものである。
【００３２】
この手段により、使用者が除湿装置本体に近づいたときに、すねわち吹き出し口の温度を表す表示手段が必要である際に、自動的に表示を点灯することができ、省エネ性の向上した除湿装置を得ることができる。
【００３３】
また、他の手段は、人を検出するための人検知手段を設け、除湿装置近傍に人の存在を検出しないとき、吹き出し箇所を表示する表示手段を消灯することを特徴としたものである。
【００３４】
この手段により、使用者が除湿装置本体から離れたときに、すねわち吹き出し口の温度を表す表示手段が不必要となった際に、自動的に表示を消灯することができ、より省エネ性の向上した除湿装置を得ることができる。
【発明の効果】
【００３５】
本発明によれば、除湿装置のどこの吹き出し口から吹き出し風が出るのかということを容易かつ瞬時に把握することができ、使い勝手の向上した除湿装置を提供することができる。吹出し箇所と吹出し風の温度を容易かつ瞬時に把握することができる。
【００３６】
また、使用者が吹き出し方向を一目で把握することのできる除湿装置を提供することができる。
【００３７】
また、使用者の好みに併せて吹き出し箇所を表示する表示手段を点灯または消灯することにより、例えば就寝時における除湿装置の使用時には、消灯することができ、使い勝手の良い除湿装置を提供することができる。
【００３８】
また、使用者が必要としているときのみ吹き出し口の温度を表示することにより、省エネ性の向上した除湿装置を提供することができる。
【発明を実施するための最良の形態】
【００３９】
本発明の請求項１記載の発明は、冷媒を圧縮する圧縮機と、除湿対象空気を冷却除湿し水分を集水する蒸発器と、前記冷媒が供給空気に対して放熱する凝縮器と、除湿対象空気を吸い込み前記蒸発器および前記凝縮器に通風させる送風機と、除湿装置の運転を設定するための操作部と、前記圧縮機および前記送風機と前記操作部を制御するための制御部と、前記蒸発器へ前記送風機によって除湿対象空気を通風させることにより除湿され、また吸い込み温度より低い冷風を吹き出す冷風吹き出し口と、前記凝縮器へ供給空気を通風させることにより吸い込み温度より高い温度の風を吹き出す温風吹き出し口と、前記冷風および温風が通風する少なくとも２つ以上の風路を備えた除湿装置であって、前記冷風吹き出し口および前記温風吹き出し口近傍に吹き出し箇所を表示する表示手段を備えたものであり、使用者が除湿装置のどこの吹き出し口から吹き出すのか一目で把握することができるという作用を有する。
【００４０】
また、本発明の請求項２記載の発明は、冷風吹き出し口、および温風吹き出し口近傍に備えた吹き出し箇所を表示する表示手段は、運転状況に併せてＬＥＤを点灯および消灯するとしたものであり、例えば、冷風を吹き出しているときは、冷風吹き出し口近傍に設けられた表示手段の点灯を行い、また温風を吹き出すときには、温風吹き出し口近傍に設けられた表示手段の点灯を行うことにより、使用者が確実に吹き出し箇所を把握し、それぞれの吹き出し風を使用者の意図に即して有効に利用することができるという作用を有する。
【００４１】
また、本発明の請求項３記載の発明は、吹、吹き出し箇所を表示する表示手段は、吹き出し口をＬＥＤで照射するとしたものであり、例えば、冷風を吹き出しているときは、冷風吹き出し口近傍に設けられた表示手段の点灯を行い、冷風吹き出し口を照射する。また温風を吹き出すときには、温風吹き出し口近傍に設けられた表示手段の点灯を行うことにより、温風吹き出し口を照射し、使用者が瞬時に吹き出し箇所を把握し、除湿装置が設置された空間が暗中であっても視認性良く使用することができるという作用を有する。
【００４２】
また、本発明の請求項４記載の発明は、吹き出し箇所を表示する表示手段は、吹き出し方向に平行して矢印状であり、除湿装置本体の天面に設けたものであり、除湿装置からの吹き出し口から冷風または温風が除湿装置からどの方向に吹き出すのかを一目で把握することができ、例えば衣類乾燥を行っている際には、除湿対象物である衣類を表示に従った位置に配置することにより、衣類乾燥を有効に行うことができるという作用を有する。
【００４３】
また、本発明の請求項５記載の発明は、吹き出し箇所を表示する表示手段はＬＥＤで構成され、吹き出し風の温度を表示するために、冷風吹き出し口は寒色系、除湿風吹き出し口は暖色系の色で表すとしたものであり、冷風吹き出し口は例えば寒色系である青色ＬＥＤ、温風吹き出し口は暖色系である赤色ＬＥＤで表示することにより、使用者が除湿装置のどこの吹き出し口から温風または冷風が吹き出すのかということを、一目で把握することが可能となり、各吹き出し風を効率よく利用することができるという作用を有する。
【００４４】
また、本発明の請求項６記載の発明は、吹き出し箇所を表示する表示手段は複数のＬＥＤで構成され、吹き出し方向に向かって段階的に明滅を繰り返すとしたものであり、吹き出し方向へ段階的に明滅を繰り返すことにより、使用者は吹き出し方向と、使用者が除湿装置のどこの吹き出し口からどの方向へ温風または冷風が吹き出すのか一目で把握することが可能となり、使い勝手が向上するという作用を有する。
【００４５】
また、本発明の請求項７記載の発明は、吹き出し箇所を表示する表示手段は点灯または消灯するための設定手段を備えたものであり、使用者は操作部に設けられた設定手段によって、好みに併せて吹き出し風の温度を表す表示手段を点灯または消灯することができ、例えば就寝時における除湿装置の使用時には、消灯することができるという作用を有する。
【００４６】
また、本発明の請求項８記載の発明は、吹き出し箇所を表示する表示手段は、吹き出す風量に比例して輝度を変化させるとしたものであり、風量の可変可能な段階に比例して、吹き出し風の温度を表す表示手段の輝度を可変することにより、使用者は吹き出し口を見ただけで、吹き出し温度だけでなく、その風量を把握することができるという作用を有する。
【００４７】
また、本発明の請求項９記載の発明は、吹き出し口近傍に、吹き出す温度を検出するための温度検出手段を備え、吹き出し箇所を表示する表示手段は、吹き出す温度に従って輝度を変化させるとしたものであり、除湿装置本体に搭載された制御部が、吹き出し口に設けられた温度検出手段の吹き出し風の温度を検出し、検出結果に応じて、吹き出し口近傍に設けられた吹き出し口の温度を表す表示手段の輝度を制御することによって、使用者に吹き出し口の温度を正確に伝えることのできる除湿装置を得ることができる。
【００４８】
また、本発明の請求項１０記載の発明は、吹き出し箇所を表示する表示手段は、設定または運転変更が生じた後、所定の時間の間だけ点灯するものであり、使用者が吹き出し口から吹き出す風の温度を知りたいときのみ表示を行うことにより、使い勝手の良くなるという作用を有する。
【００４９】
また、本発明の請求項１１記載の発明は、人人を検出するための人検知手段を設け、除湿装置近傍に人の存在を検出したとき、吹き出し箇所を表示する表示手段を点灯するものであり、使用者が除湿装置本体に近づいたときに、すなわち吹き出し口の温度を表す表示手段が必要である際に、自動的に表示を点灯することができ、省エネ性が向上するという作用を有する。
【００５０】
また、本発明の請求項１２記載の発明は、人を検出するための人検知手段を設け、除湿装置近傍に人の存在を検出しないとき、吹き出し箇所を表示する表示手段を消灯することを特徴としたものであり、使用者が除湿装置本体から離れたときに、すねわち吹き出し口の温度を表す表示手段が不必要となった際に、自動的に表示を消灯することができ、より省エネ性が向上するという作用を有する。
【００５１】
以下、本発明の実施の形態について図面を参照しながら説明する。
【００５２】
（実施の形態１）
図１に構造図、図２に除湿装置本体、図３に操作表示部詳細、図４に風路簡略図、図５に表示動作タイミングチャートを示す。
【００５３】
図１に示すように除湿装置本体１の側面には凝縮器２と蒸発器３が配され、凝縮器２の側面には凝縮器用送風機４、蒸発器３の側面には蒸発器用送風機５が配されている。また、凝縮器２下部には、蒸発器３で結露した水滴を受けるための水受け皿６が、さらにその下部には、前記水受け皿６の水を貯水するための貯水タンク７が設けられている。また、除湿装置本体１下部には、圧縮器８が配置され、凝縮器２と蒸発器３と冷凍サイクルを形成している。蒸発器用送風機５の上部には、蒸発器を通風した空気の風路を切り替えるためのダンパー９およびダンパー駆動モーター１０が設けられている。また除湿装置本体１内部には、凝縮器用送風機４、蒸発器用送風機５、圧縮器８、ダンパー駆動モーター１０を制御するための制御部１１が配置されている。除湿装置本体１上部には、前記凝縮器用送風機４によって、温風を吹き出すための天面吹き出し口１２と、除湿装置本体１側面には、蒸発器用送風機５から送り出される冷風を吹き出すための側面吹き出し口１３が設けられている。
【００５４】
次に図２に示すように除湿装置本体１には、操作部１４と表示部１５が配され、前記制御部１１は、使用者による操作部１４における運転モードの設定に従って、除湿装置本体１の運転を制御する。
【００５５】
次に図３に示すように、除湿装置本体１天面に設けられた操作部１４および表示部１５について説明する。操作部１４には、除湿装置本体１の運転を切りまたは入りにするための、運転切／入スイッチ１６および除湿運転モードを選択するための除湿スイッチ１７、前面から冷風を吹き出す冷風運転を選択するための冷風スイッチ１８が設けられている。また操作部１４の上部には設定状況を表すための表示部１５である操作表示部１９と、また操作部１４の下部には、吹き出し箇所を表すための表示手段である温風吹き出し表示２０として、ＬＥＤ２０ａ、２０ｂ、２０ｃおよび冷風吹き出し表示２１としてＬＥＤ２１ａ、２１ｂ、２１ｃが配されており、温風吹き出し表示２０および冷風吹き出し表示２１は、操作部１４に設けられた表示設定スイッチ２２によって、ＯＮまたはＯＦＦを切り替える。ここで、温風吹き出し表示２０である、ＬＥＤ２０ａ、２０ｂ、２０ｃは橙色ＬＥＤ、冷風吹き出し表示２１であるＬＥＤ２１ａ、２１ｂ、２１ｃは青色ＬＥＤで構成されている。
【００５６】
上記構成において、使用者によって運転スイッチ１６を押され、次に除湿運転スイッチ１７を押された場合、除湿運転を開始する。このとき、制御部１１は使用者によって設定された運転モードである除湿運転を行うため、凝縮器用送風機４、蒸発器用送風機５、圧縮器８を駆動する。またダンパー駆動モーター１０を駆動することにより、図４（ａ）に示すように、ダンパー９を水平位置に移動することにより、蒸発器３を通過し除湿冷却された空気は、凝縮器２を通過する時に加熱された温風となった空気と交わって、天面に設けられた天面吹き出し口１２から吹き出す。一方、使用者によって、運転切／入スイッチ１６を押され、次に冷風スイッチ１８を押された場合、冷風運転を開始する。このとき、制御部１１は使用者によって設定された冷風運転を行うため、凝縮器用送風機４、蒸発器用送風機５、圧縮器８を駆動する。またダンパー駆動モーター１０を駆動することにより、図４（ｂ）に示すように、ダンパー９を垂直に維持することにより、凝縮器用送風機４から送り出された温風と、蒸発器用送風機５から送り出された冷風とを隔離し、蒸発器用送風機５から送り出された冷風を側面に設けられた吹き出し口１３から吹き出し、局所冷房が可能となる。また凝縮器用送風機４から送り出された温風は天面に設けられた天面吹き出し口１２から吹き出す。また水分を含んだ空気は、蒸発器用送風機５によって吸引され、蒸発器３によって冷却されることにより、水分が蒸発器３に結露し、さらには水受け皿６へ滴下し、貯水タンク７へ貯水されることにより、除湿する。
【００５７】
ここで制御部１１は、除湿運転を行う際には、温風吹き出し表示２０であるＬＥＤ２０ａ、２０ｂ、２０ｃの順に、図５に示すような１秒間ずつ点灯するタイミングで点滅を繰り返すことにより、使用者に天面に設けられた天面吹き出し口１２から温風が吹き出されることを認識させることができる。また、冷風運転を行う際には、同様に温風吹き出し表示２０であるＬＥＤ２０ａ、２０ｂ、２０ｃの順に、図５に示すようなタイミングで点滅を繰り返し、また冷風吹き出し表示２１であるＬＥＤ２１ａ、２１ｂ、２１ｃを図５に示すようなタイミングで点滅を繰り返すことにより、使用者に対して天面に設けられた天面吹き出し口１２から温風が吹き出され、側面に設けられた冷風を吹き出すための側面吹き出し口１３から冷風が吹き出すことを一目で認識させることができ、例えば冷風は人を対象に利用し、温風は衣類乾燥などに利用するなど有効利用することができる。このように、運転状況に応じて吹き出し箇所を表示する表示手段の点灯および消灯を行うことにより、使用者が確実に吹き出し箇所を把握することができる。また、衣類乾燥など非居住空間で行う際等には、除湿装置が設置された空間が暗中であっても、吹き出し表示はＬＥＤを用いることにより視認性良く、一目で吹き出し方向、吹き出し風の種類を把握することが可能となる。また就寝時に除湿や冷風を利用したい場合などには、表示設定スイッチ２２を使用して、吹き出し表示をＯＦＦすることにより、ＬＥＤの明るさが就寝に邪魔をしないようにすることができる。
【００５８】
なお本実施例においては、吹き出し箇所の表示手段は天面に設けたが、吹き出し口内に設置した場合においても、差異を生じない。また各吹き出し表示の点灯タイミングは一例であり、タイミングの変化によって、差異を生じない。
【００５９】
（実施の形態２）
なお、実施の形態１と同一部分は同一符号を付し、詳細な説明は省略する。使用者によって、運転スイッチ１６を押され、次に除湿スイッチ１７を押された場合、除湿運転を開始する。このとき、制御部１１は除湿スイッチ１７を押してから１０秒間だけ、温風吹き出し表示２０をＬＥＤ２０ａ、２０ｂ、２０ｃの順に、図５に示すようなタイミングで点滅を繰り返すことにより、使用者に天面に設けられた天面吹き出し口１２から温風が吹き出されることを認識させることができ、１０秒間経過した後は、使用者へ情報が伝わったと判断し、温風吹き出し表示２０を消灯する。使用者が冷風スイッチを押して、冷風運転を選択した場合も同様に、冷風吹き出し表示２１をＬＥＤ２１ａ、２１ｂ、２１ｃを図５に示すようなタイミングで点滅を１０秒間繰り返し、消灯する。
【００６０】
このように一定の時間だけ吹き出し表示の点灯を行うことにより、使用者が吹き出し温度を知りたいと想定されるときのみ表示を行うことによって、使い勝手が向上し、省エネ性も向上する。
【００６１】
（実施の形態３）
図６に構造図を示す。
【００６２】
なお、実施の形態１、２と同一部分は同一符号を付し、詳細な説明は省略する。図６に示すように、凝縮器用送風機４から送り出された温風を吹き出す天面吹き出し口１２に、吹き出し温度を測定するための温風温度検出装置２３と、蒸発器用送風機５から送り出された温風を吹き出す側面吹き出し口１３に、吹き出し温度を測定するための冷風温度検出装置２４と、室温を検出するための室温検出装置２５が設けられている。
【００６３】
上記構成において、使用者によって、運転切／入スイッチ１６を押され、次に除湿スイッチ１７を押された場合、除湿運転を開始する。このとき制御部１１は、温風の吹き出し温度を測定するための温風温度検出装置２３からの検出温度Ｔａ、および冷風を吹き出す側面吹き出し口１３に、吹き出し温度を測定するための冷風温度検出装置２４からの検出温度Ｔｂを室温検出手段２５からの検出温度Ｔにと比較し、その結果に応じて、温風吹き出し表示２０であるＬＥＤ２０ａ、２０ｂ、２０ｃを表１に示すような条件で輝度を制御し、また冷風吹き出し表示２１であるＬＥＤ２１ａ、２１ｂ、２１ｃを表２に示すように制御する。例えば室温が２５℃のときに温風温度検出装置２３からの検出温度Ｔａが２９℃を検出した場合、その差が９℃であるため、制御部１１は温風吹き出し表示２０をＬＥＤ２０ａ、２０ｂ、２０ｃの輝度を、５０％の電力で転倒する制御を行う。また、冷風温度検出装置２４からの検出温度Ｔｂが２１℃であった場合、その差が４℃であるため、制御部１１は冷風吹き出し表示２１であるＬＥＤ２１ａ、２１ｂ、２１ｃの輝度を、５０％に制御する。このとき電力制御の手法としては、各ＬＥＤへ供給するパルス幅を可変させたりすることにより行うことができる。
【００６４】
以上により、吹き出し風の温度を吹き出し箇所の表示手段を用いることで、使用者に吹き出し口の温度を正確に伝えることができる。
【００６５】
【表１】
2008188509.tif 000003
【００６６】
【表２】
2008188509.tif 000004
【００６７】
（実施の形態４）
図７に除湿装置本体を示す。
【００６８】
なお、実施の形態１〜３と重複する箇所は説明を省略する。
【００６９】
図７に示すように、温風を吹き出す吹き出し口１２には、吹き出し口を照射するための温風吹き出し口ＬＥＤ２６、蒸発器用送風機５から送り出された冷風を吹き出す側面吹き出し口１３に、吹き出し口を照射するための冷風吹き出し口ＬＥＤ２７と、天面には人を検出するための焦電型人感センサ２８が設けられている。
【００７０】
上記構成において、表３に示すように凝縮器用送風機４、蒸発器用送風機５の回転量、すなわち風量の強さに応じて、温風吹き出し口ＬＥＤ２６と、冷風吹き出し口ＬＥＤ２７の輝度を予め設定されており、この設定に従って制御部１１は温風吹き出し口ＬＥＤ２６と、冷風吹き出し口ＬＥＤ２７の輝度を調節し、各吹き出し口を照射する。
【００７１】
【表３】
2008188509.tif 000005
【００７２】
制御部１１は運転開始後、焦電型人感センサ２８から人の検出信号があった場合に、吹き出し口を照射するための温風吹き出し口ＬＥＤ２６と、冷風吹き出し口ＬＥＤ２７の点灯を行う。また逆に焦電型人感センサ２８から人の検出信号が無くなった場合に、吹き出し口を照射するための温風吹き出し口ＬＥＤ２６と、冷風吹き出し口ＬＥＤ２７の消灯を行う。このとき電力制御の手法としては、各ＬＥＤへ供給するパルス幅を可変させたりすることにより行うことができる。
【００７３】
以上により、使用者は吹き出し口を見ただけで、吹き出し温度だけでなく、その風量を把握することができ、また使用者が瞬時に吹き出し箇所を把握し、それぞれの吹き出し風を使用者の意図に即して有効に利用でき、また自動的に吹き出し口表示の点灯および消灯を行うことにより、省エネ性が向上することができる。
【産業上の利用可能性】
【００７４】
吹き出し箇所に表示手段を備えた除湿装置であり、空調機などの用途などにも適用できる。
【図面の簡単な説明】
【００７５】
【図１】本発明の実施の形態１の構造図
【図２】同実施の形態１の除湿装置本体を示す図
【図３】同実施の形態１の操作表示部詳細図
【図４】同実施の形態１の風路簡略図（（ａ）同ダンパーを水平位置に移動したときの風路を示す図、（ｂ）同ダンパーを垂直に維持したときの風路を示す図）
【図５】同実施の形態１の表示動作タイミングチャート
【図６】同実施の形態３の構造図
【図７】同実施の形態４の除湿装置本体を示す図
【図８】従来例の除湿装置の内部構造を示す透視斜視図
【図９】同吸気と吐気を示す外観斜視図
【図１０】同冷凍サイクル図
【符号の説明】
【００７６】
１    除湿装置本体
２    凝縮器
３    蒸発器
４    凝縮器用送風機
５    蒸発器用送風機
６    水受け皿
７    貯水タンク
８    圧縮器
９    ダンパー
１０  ダンパー駆動モーター
１１  制御部
１２  天面吹き出し口
１３  側面吹き出し口
１４  操作部
１５  表示部
１６  運転切／入スイッチ
１７  除湿スイッチ
１８  冷風スイッチ
１９  操作表示部
２０  温風吹き出し表示
２１  冷風吹き出し表示
２２  表示設定スイッチ
２３  温風温度検出装置
２４  冷風温度検出装置
２５  室温検出装置
２６  温風吹き出し口ＬＥＤ
２７  冷風吹き出し口ＬＥＤ
２８  焦電型人感センサ
【図１】
2008188509.tif 000006
【図２】
2008188509.tif 000007
【図３】
2008188509.tif 000008
【図４】
2008188509.tif 000009
【図５】
2008188509.tif 000010
【図６】
2008188509.tif 000011
【図７】
2008188509.tif 000012
【図８】
2008188509.tif 000013
【図９】
2008188509.tif 000014
【図１０】
2008188509.tif 000015